(57)【要約】広帯域無線アクセスシステムにおいてプロトコルスタック層での動作を明確にするために、移動局及び基地局内の上位管理層とＭＡＣ層間のプリミティブを定義することにより、移動局がネットワーク接続方法を行えるようにする。このようなプリミティブを利用することにより、ネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）とメディア独立ハンドオーバー（Ｍｅｄｉａ  Ｉｎｄｅｐｅｎｄｅｎｔ  Ｈａｎｄｏｖｅｒ；ＭＩＨ）層間の通信が可能になるので、ＭＩＨ手順を実現できる。
2008533804.tif 000002
【特許請求の範囲】
【請求項１】
移動局（ＭＳ）のネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）から測距要求を示す第１プリミティブを受信する段階と、
測距情報を含む測距要求を基地局のＭＡＣ（Ｍｅｄｉｕｍ  Ａｃｃｅｓｓ  Ｃｏｎｔｒｏｌ）層に送信する段階と、
前記基地局のＭＡＣ層から測距応答を受信する段階と
を含むことを特徴とする広帯域無線アクセスシステムのための測距方法。
【請求項２】
前記行われた測距の結果を示す第２プリミティブを前記ＭＳ  ＮＣＭＳに送る段階をさらに含むことを特徴とする請求項１に記載の広帯域無線アクセスシステムのための測距方法。
【請求項３】
前記測距情報が初期測距を含むことを特徴とする請求項１に記載の広帯域無線アクセスシステムのための測距方法。
【請求項４】
前記測距情報が、ハンドオーバー（ＨＯ）測距、位置更新測距、及び周期的な測距の少なくとも１つをさらに含むことを特徴とする請求項３に記載の広帯域無線アクセスシステムのための測距方法。
【請求項５】
前記測距要求がネットワークエントリを示すことを特徴とする請求項１に記載の広帯域無線アクセスシステムのための測距方法。
【請求項６】
前記ネットワークエントリが８０２．１６ネットワークへのエントリであることを特徴とする請求項５に記載の広帯域無線アクセスシステムのための測距方法。
【請求項７】
前記各段階が測距に成功するまで繰り返されることを特徴とする請求項２に記載の広帯域無線アクセスシステムのための測距方法。
【請求項８】
前記測距要求がコード又はＭＡＣアドレスを含むことを特徴とする請求項１に記載の広帯域無線アクセスシステムのための測距方法。
【請求項９】
移動局（ＭＳ）のＭＡＣ（Ｍｅｄｉｕｍ  Ａｃｃｅｓｓ  Ｃｏｎｔｒｏｌ）層から測距情報を含む測距要求メッセージを受信する段階と、
測距要求が受信されたことを示す第１プリミティブを基地局（ＢＳ）のネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）に送る段階と
を含むことを特徴とする広帯域無線アクセスシステムのための測距方法。
【請求項１０】
前記測距情報が、ＣＤＭＡコード、ＭＳ  ＭＡＣアドレス、ＭＡＣバージョン、要求されたダウンリンクバーストプロファイル、サービングＢＳ  ＩＤ、ターゲットＢＳ  ＩＤ、ハンドオーバー（ＨＯ）指示、位置更新要求、及びページング制御装置ＩＤの少なくとも１つを含むことを特徴とする請求項９に記載の広帯域無線アクセスシステムのための測距方法。
【請求項１１】
測距が行われたことを示す第２プリミティブを前記ＢＳ  ＮＣＭＳから受信する段階と、
測距応答を前記ＭＳ  ＭＡＣに送信する段階と
をさらに含むことを特徴とする請求項９に記載の広帯域無線アクセスシステムのための測距方法。
【請求項１２】
前記測距応答が、結果コード、管理ＣＩＤ、リソース維持フラグ、ハンドオーバー過程最適化、位置更新応答、ページング情報、ページング制御装置ＩＤ、次の週期的な測距の少なくとも１つを含む前記第２プリミティブの情報を含むことを特徴とする請求項１１に記載の広帯域無線アクセスシステムのための測距方法。
【請求項１３】
基地局（ＢＳ）から登録応答を受信する段階と、
登録確認を示す第２プリミティブをネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）に送る段階と
を含むことを特徴とする広帯域無線アクセスシステムのための登録方法。
【請求項１４】
前記第２プリミティブが、ＩＰアドレス割当方法、ＩＰバージョン、及びスキップアドレス取得の少なくとも１つを含むことを特徴とする請求項１３に記載の広帯域無線アクセスシステムのための登録方法。
【請求項１５】
前記ＩＰアドレス割当方法が、ＤＨＣＰ、モバイルＩＰｖ４、ＤＨＣＰｖ６、ＩＰｖ６ステートレスアドレス自動設定を含むことを特徴とする請求項１４に記載の広帯域無線アクセスシステムのための登録方法。
【請求項１６】
前記スキップアドレス取得が、ＩＰアドレス変更なし及びＩＰアドレス再取得の少なくとも一方を含むことを特徴とする請求項１４に記載の広帯域無線アクセスシステムのための登録方法。
【請求項１７】
前記受信する段階が、ネットワークエントリが完了したことを示すことを特徴とする請求項１３に記載の広帯域無線アクセスシステムのための登録方法。
【請求項１８】
登録を要求するためにＭＳ  ＮＣＭＳから第１プリミティブを受信する段階と、
登録要求メッセージをＢＳ  ＭＡＣに送る段階と
をさらに含むことを特徴とする請求項１３に記載の広帯域無線アクセスシステムのための登録方法。
【請求項１９】
前記第１プリミティブが、ＩＰバージョン、ＩＰアドレス割当方法、及び以前のＩＰアドレスの少なくとも１つを含むことを特徴とする請求項１８に記載の広帯域無線アクセスシステムのための登録方法。
【請求項２０】
前記ＩＰアドレス割当方法が、ＤＨＣＰ、モバイルＩＰｖ４、ＤＨＣＰｖ６、ＩＰｖ６ステートレスアドレス自動設定を含むことを特徴とする請求項１９に記載の広帯域無線アクセスシステムのための登録方法。
【請求項２１】
移動局（ＭＳ）のＭＡＣ（Ｍｅｄｉｕｍ  Ａｃｃｅｓｓ  Ｃｏｎｔｒｏｌ）層から登録要求メッセージを受信する段階と、
登録指示を示す第１プリミティブを基地局（ＢＳ）のネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）に送る段階と、
登録応答を示す第２プリミティブを前記ＢＳ  ＮＣＭＳから受信する段階と、
登録応答メッセージを前記ＭＳ  ＭＡＣに送る段階と
を含むことを特徴とする広帯域無線アクセスシステムのための登録方法。
【請求項２２】
前記第１プリミティブが、ＩＰバージョン、ＩＰアドレス割当方法、及び以前のＩＰアドレスの少なくとも１つを含むことを特徴とする請求項２１に記載の広帯域無線アクセスシステムのための登録方法。
【請求項２３】
前記ＩＰアドレス割当方法が、ＤＨＣＰ、モバイルＩＰｖ４、ＤＨＣＰｖ６、ＩＰｖ６ステートレスアドレス自動設定を含むことを特徴とする請求項２２に記載の広帯域無線アクセスシステムのための登録方法。
【請求項２４】
前記第２プリミティブが、ＩＰアドレス割当方法、ＩＰバージョン、及びスキップアドレス取得の少なくとも１つを含むことを特徴とする請求項２１に記載の広帯域無線アクセスシステムのための登録方法。
【請求項２５】
前記ＩＰアドレス割当方法が、ＤＨＣＰ、モバイルＩＰｖ４、ＤＨＣＰｖ６、ＩＰｖ６ステートレスアドレス自動設定を含むことを特徴とする請求項２４に記載の広帯域無線アクセスシステムのための登録方法。
【請求項２６】
前記スキップアドレス取得が、ＩＰアドレス変更なし及びＩＰアドレス再取得の少なくとも一方を含むことを特徴とする請求項２４に記載の広帯域無線アクセスシステムのための登録方法。
【請求項２７】
リンクセットアップ手順が完了したという指示を受信するために行われた登録の結果を示す第２プリミティブをネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）から受信する段階を含み、
前記第２プリミティブが、管理サービスアクセスポイント（Ｍ−ＳＡＰ）及び制御サービスアクセスポイント（Ｃ−ＳＡＰ）の少なくとも一方を介して送受信されることを特徴とする広帯域無線アクセスシステムのための登録方法。
【請求項２８】
前記第２プリミティブが、ＩＰアドレス割当方法、ＩＰバージョン、及びスキップアドレス取得の少なくとも１つを含むことを特徴とする請求項２７に記載の広帯域無線アクセスシステムのための登録方法。
【請求項２９】
前記ＩＰアドレス割当方法が、ＤＨＣＰ、モバイルＩＰｖ４、ＤＨＣＰｖ６、ＩＰｖ６ステートレスアドレス自動設定を含むことを特徴とする請求項２８に記載の広帯域無線アクセスシステムのための登録方法。
【請求項３０】
前記スキップアドレス取得が、ＩＰアドレス変更なし及びＩＰアドレス再取得の少なくとも一方を含むことを特徴とする請求項２８に記載の広帯域無線アクセスシステムのための登録方法。
【請求項３１】
前記受信する段階の前に、登録要求を示す第１プリミティブをＮＣＭＳに送る段階をさらに含み、
前記第１プリミティブが、Ｍ−ＳＡＰ及びＣ−ＳＡＰの少なくとも一方を介して送受信されることを特徴とする請求項２７に記載の広帯域無線アクセスシステムのための登録方法。
【請求項３２】
同種ネットワーク及び異種ネットワークの少なくとも一方とやり取りするメッセージを管理するための移動局の上位層に統一されたインタフェースを設定する段階をさらに含むことを特徴とする請求項２７に記載の広帯域無線アクセスシステムのための登録方法。
【発明の詳細な説明】
【技術分野】
【０００１】
本発明は広帯域無線アクセスネットワークにおけるネットワークアクセスのためのプロトコルシグナリングに関し、特に、移動局がネットワークに接続できるようにプリミティブを利用する管理方法に関する。
【背景技術】
【０００２】
図１はプロトコルスタック構造の一例を示す図である。図２は広帯域無線アクセスシステムにおける移動局の初期化時のネットワークアクセス過程の一例を示すフローチャートである。
【０００３】
図２に示すように、移動局が最初に電源をオンにするとダウンリンクチャネルを検索し、基地局とのアップリンク及びダウンリンクの同期を取る（Ｓ２１）。前記移動局は前記基地局との測距を行ってアップリンク伝送パラメータを調整し、前記基地局から基本管理接続識別子（ｂａｓｉｃ  ｍａｎａｇｅｍｅｎｔ  ＣＩＤ）とプライマリ管理接続識別子（ｐｒｉｍａｒｙ  ｍａｎａｇｅｍｅｎｔ  ＣＩＤ）を割り当てられる（Ｓ２２）。そして、前記基地局と基本機能に関するネゴシエーションを行う（Ｓ２３）。さらに、前記移動局に対する認証を行い（Ｓ２４）、前記基地局への登録を経て、ＩＰ（Ｉｎｔｅｒｎｅｔ  Ｐｒｏｔｏｃｏｌ）により管理される前記移動局は、前記基地局から割り当てられるセカンダリ管理接続識別子（ｓｅｃｏｎｄａｒｙ  ｍａｎａｇｅｍｅｎｔ  ＣＩＤ）を受信する（Ｓ２５）。その後、ＩＰ接続を設定し（Ｓ２６）、現在の日付及び時間を設定し（Ｓ２７）、移動局構成ファイルをＴＦＴＰサーバからダウンロードし（Ｓ２８）、予め用意されたサービスへの接続を設定する（Ｓ２９）。
【０００４】
図３は移動局がダウンリンク同期を取る過程の一実施例を示すフローチャートである。図４は移動局がアップリンク同期を取る過程の一実施例を示すフローチャートである。図５及び図６は移動局が測距を行う過程の一実施例を示すフローチャートである。
【０００５】
図７は移動局により実行された基本機能を基地局とネゴシエートする過程の一実施例を示すフローチャートである。図８は移動局のＳＢＣ−ＲＳＣ待機過程の一実施例を示すフローチャートである。図９は移動局の登録過程の一実施例を示すフローチャートである。図１０は移動局のＲＥＧ−ＲＳＰ待機過程の一実施例を示すフローチャートである。
【発明の開示】
【発明が解決しようとする課題】
【０００６】
従来技術においては、ネットワークアクセスのために移動局と基地局間で送受信されるＭＡＣ管理メッセージは定義されているが、このようなメッセージに関連して、移動局内のプロトコルスタック層での実際の動作及び基地局内のプロトコルスタック層での動作は定義されていない。従って、移動局又は基地局を管理するための別途の管理システムを提供する必要がある場合、これを実現することができないという問題があった。
【課題を解決するための手段】
【０００７】
本発明の一態様は前述のような従来技術の問題に対する本発明者らの認識を含む。このような問題を解決するために、本発明は、移動局がネットワーク接続方法を行えるように、広帯域無線アクセスシステムにおいてプロトコルスタック層での動作を明確にするために、上位管理層とＭＡＣ層間のプリミティブを定義する方法を提供する。
【発明の効果】
【０００８】
本発明によれば、移動局が本発明により定義されたプリミティブを利用してスキャニングを行う場合、プロトコルスタック層内での正確な動作を実現できる。従って、このようなプリミティブを利用することにより、直接又は間接方式でネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）とメディア独立ハンドオーバー（Ｍｅｄｉａ  Ｉｎｄｅｐｅｎｄｅｎｔ  Ｈａｎｄｏｖｅｒ；ＭＩＨ）層間の通信が可能になるので、ＭＩＨ手順を実現できる。
【発明を実施するための最良の形態】
【０００９】
本発明は８０２．１６ｅネットワークなどの広帯域無線アクセスシステムで実現されると記述されている。しかし、本発明の概念及び教示は一般的な技術に基づいて類似した方式で動作する多様な通信スキームに適用できるので、本発明は他のタイプの通信規格（例えば、８０２．１６ｇ、８０２．２１、８０２．１１ｕなど）に準拠した通信システムでも適用及び実現できる。以下、添付の図面を参照して本発明の実施形態を説明するが、本発明はこれに限定されるものではない。
【００１０】
また、本発明の特定態様においては、エンティティ、インタフェース、プリミティブ、メッセージなどのための特定名称に関して記述するが、本技術の分野における通常の知識を有する者であれば、このような名称に限定されず、その機能が本発明の教示に該当するものであれば他の名称（ラベル、用語など）も使用できることを明確に理解するであろう。
【００１１】
本発明は、移動局のＭＡＣ層が管理エンティティから測距のための第１プリミティブを送信する段階と、アップリンクの測距区間に基地局にＣＤＭＡコードを送信する段階と、測距応答を受信する段階と、前記測距応答に含まれるパラメータ又は進行状態を前記管理エンティティに送信する段階と、前記管理エンティティからネットワークアクセスに必要なパラメータを受信するために第２パラメータを送信する段階と、移動局のＭＡＣアドレスを含む測距要求メッセージを前記基地局に送信する段階と、管理ＣＩＤを含む測距応答メッセージを受信する段階と、前記測距応答メッセージに含まれる情報を前記管理エンティティに送信する段階とを含むことを特徴とする広帯域無線アクセスシステムにおけるネットワーク接続方法を提供する。
【００１２】
以上の特徴と利点は添付の図面及び以下の関連の詳細な説明を参照するとより容易に理解されるであろう。以下、添付の図面を参照して本発明の好ましい実施形態を詳細に説明する。
【００１３】
図１１はメディア独立ハンドオーバー（ＭＩＨ）を考慮したプロトコル構造の実施形態を示す図である。
【００１４】
本発明が提案するプリミティブは、管理サービスアクセスポイント（Ｍａｎａｇｅｍｅｎｔ  Ｓｅｒｖｉｃｅ  Ａｃｃｅｓｓ  Ｐｏｉｎｔ；Ｍ−ＳＡＰ）及び／又は制御サービスアクセスポイント（Ｃｏｎｔｒｏｌ  Ｓｅｒｖｉｃｅ  Ａｃｃｅｓｓ  Ｐｏｉｎｔ；Ｃ−ＳＡＰ）を介して、ネットワーク制御管理システム（ＮＣＭＳ）に伝達される。
【００１５】
Ｍ−ＳＡＰは、システム設定機能、統計モニタリング機能、通知／トリガ機能などをサポートするために使用される。Ｃ−ＳＡＰは、移動局からのハンドオーバー要求通知などのハンドオーバー機能、アイドルモード移行などのアイドルモード移動性管理機能、移動局からのセッション設定要求などの加入及びセッション管理機能、無線リソース管理機能などをサポートするために使用される。
【００１６】
前述のように前記ＳＡＰはその機能別に区分できるが、本発明により提案されたプリミティブは、前記２つのＳＡＰのいずれか一方又は両方を介して伝達できる。本発明の効果としては、前記プリミティブが前記ＮＣＭＳを介して必要な上位層に伝達されるため、システム全体の管理及び／又は制御を行うエンティティ（移動局又は基地局）がＭＡＣ層とＰＨＹ層も管理できるようになる。
【００１７】
本発明による管理を行うエンティティは、ＮＣＭＳとインタフェースする全てのエンティティを含む。これは機器（例えば、移動局、基地局など）内のＩＰ層又はその上位層にある論理的な管理エンティティ又は物理的な管理エンティティを含む。本発明の動作は、ＮＣＭＳを介して上位管理エンティティからＭ−ＳＡＰ又はＣ−ＳＡＰに通信が行われるので、ＮＣＭＳが直接プリミティブを送る（伝達する）ように見える。
【００１８】
本発明における上位管理エンティティは、図１に示すようなプロトコルスタック内の階層管理エンティティの上位に位置し、ＮＣＭＳ又は階層管理エンティティの管理ＳＡＰを介して通信する物理的な上位管理エンティティ又は論理的な上位管理エンティティに区分される。上位管理エンティティは、特定プロトコルスタック内に存在することもでき、別途の独立したシステム又はスタックとして存在することもできるが、概念的に上位管理エンティティという。
【００１９】
図１２は遠隔エンティティとの相互作用が必要な場合の動作を示す図である。図１３はローカルエンティティ内でのみ伝達されるプリミティブの実施形態を示す図である。
【００２０】
図１２に示すように、遠隔エンティティとの相互作用がある場合は、要求／確認又は応答／指示から構成される１対のプリミティブが伝達される。
【００２１】
図１３に示すように、ローカルスタック内で動作が発生する場合、管理エンティティとＮＣＭＳ間の相互交換（すなわち、双方向動作）と、単方向動作の２つの状況があり得る。双方向動作の場合、管理エンティティからＭ−ＳＡＰ／Ｃ−ＳＡＰを介したＮＣＭＳへの伝達は要求（Ｒｅｑｕｅｓｔ）といい、それに対して伝送される応答は指示（Ｉｎｄｉｃａｔｉｏｎ）という。単方向動作の場合、管理エンティティからＭ−ＳＡＰ／Ｃ−ＳＡＰを介したＮＣＭＳへの伝達は要求といい、反対方向への単方向伝達は指示という。
【００２２】
本発明によるプリミティブは、マルチモードの移動局において、管理エンティティが該当モードを指示する場合、又は該当モードが全てのマルチモードを管理するエンティティに情報を伝達する場合に使用できる。この場合は次の２つの状況がある。
【００２３】
第１に、ＭＩＨ層又はＭＩＨ機能から下位層にプリミティブが伝達される場合、ＭＩＨ（層又は機能）は、上位層から受信した情報（例えば、コマンドなど）を解析して該当プリミティブを伝達することもでき、上位層の情報（コマンド）を本発明のコマンドとマッピングして伝送することもできる。
【００２４】
第２に、下位層からＭＩＨ層又はＭＩＨ機能にプリミティブが伝達される場合、ＭＩＨ（層又は機能）は、下位層から受信したプリミティブを解析して上位に送る該当プリミティブを送信することもでき、下位層のプリミティブを上位に送るプリミティブと単にマッピングして送信することもできる。
【００２５】
ＭＩＨに使用されるときには、本発明で定義されたプリミティブがＮＣＭＳとＭＩＨ間のＳＡＰ又は管理エンティティとＭＩＨ間のＳＡＰを介して伝達されて、ＭＩＨ技術が実現されるようにする。
【００２６】
以下、本発明により提案されるプリミティブの例を説明する。本明細書で説明されるプリミティブのパラメータはその一部のみを例示するものであり、ＭＡＣに伝達されたパラメータの内容を管理エンティティに伝達する必要がある場合、本明細書で指定していないパラメータをさらに含むことができる。他の必要なパラメータだけでなく、ＭＡＣに伝達されたパラメータの内容は、ＴＬＶ（Type-Length-Value）フォーマットで伝達できる。
【００２７】
１．Ｍ＿Ｒａｎｇｉｎｇ．ｒｅｑｕｅｓｔ
（１）機能
前記プリミティブは測距を行うように要求する機能を果たす。管理エンティティは前記プリミティブを利用して測距を行うように要求する。
【００２８】
（２）セマンティクス
Ｍ＿Ｒａｎｇｉｎｇ．ｒｅｑｕｅｓｔ（
Ｓｏｕｒｃｅ，
Ｄｅｓｔｉｎａｔｉｏｎ，
Ｒａｎｇｉｎｇ  Ｔｙｐｅ
）
【００２９】
【表１】
2008533804.tif 000003
（３）生成時点
初期ネットワークアクセスのために、ハンドオーバーを実行した後、アイドルモードの移動局が位置更新を行うために、アイドルモードでネットワークアクセスを試みるために、又は周期的な測距が必要な場合、前記プリミティブは上位エンティティにより生成される。
【００３０】
（４）受信時の効果
前記プリミティブを受信すると、測距を行うために、測距タイプに応じて必要な該当ＴＬＶが含まれ、ＲＮＧ−ＲＥＱ  ＭＡＣ管理メッセージ又は測距ＣＤＭＡコードが無線インタフェースを介して送信される。
【００３１】
２．Ｍ＿Ｒａｎｇｉｎｇ．ｉｎｄｉｃａｔｉｏｎ
（１）機能
前記プリミティブは、ＭＡＣ管理メッセージの受信によって、特定移動局が測距を要求したことを上位管理エンティティに通知する。
【００３２】
（２）セマンティクス
Ｍ＿Ｒａｎｇｉｎｇ．ｉｎｄｉｃａｔｉｏｎ（
Ｓｏｕｒｃｅ，
Ｄｅｓｔｉｎａｉｔｏｎ，
ＭＳ  Ａｄｄｒｅｓｓ，
ＣＤＭＡ  Ｃｏｄｅ，
ＭＡＣ  Ｖｅｒｓｉｏｎ，
Ｒｅｑｕｉｒｅｄ  Ｄｏｗｎｌｉｎｋ  Ｂｕｒｓｔ  Ｐｒｏｆｉｌｅ，
Ｓｅｒｖｉｎｇ  ＢＳ  ＩＤ，
Ｔａｒｇｅｔ  ＢＳ  ＩＤ，
ＨＯ  Ｉｎｄｉｃａｔｉｏｎ，
Ｌｏｃａｔｉｏｎ  Ｕｐｄａｔｅ  Ｒｅｑｕｅｓｔ，
Ｐａｇｉｎｇ  Ｃｏｎｔｒｏｌｌｅｒ  ＩＤ
）
【００３３】
【表２】
2008533804.tif 000004
（３）生成時点
ＭＡＣ層が無線インタフェースを介してＲＮＧ−ＲＥＱ、ＭＡＣ管理メッセージ、又は測距コードを受信するときに生成される。
【００３４】
（４）受信時の効果
受信した測距要求を分析して、測距に対する応答として使用されるＭ＿Ｒａｎｇｉｎｇ．ｒｅｓｐｏｎｓｅを生成する。
【００３５】
３．Ｍ＿Ｒａｎｇｉｎｇ．ｒｅｓｐｏｎｓｅ
（１）機能
測距要求の結果を通知する機能。
【００３６】
（２）セマンティクス
Ｍ＿Ｒａｎｇｉｎｇ．ｒｅｓｐｏｎｓｅ（
Ｓｏｕｒｃｅ，
Ｄｅｓｔｉｎａｔｉｏｎ，
ＭＳ  Ａｄｄｒｅｓｓ，
Ｒｅｓｕｌｔ  Ｃｏｄｅ，
Ｍａｎａｇｅｍｅｎｔ  ＣＩＤｓ，
Ｒｅｓｏｕｒｃｅ  Ｒｅｔａｉｎ  Ｆｌａｇ，
ＨＯ  Ｐｒｏｃｅｓｓ  Ｏｐｔｉｍｉｚａｔｉｏｎ，
Ｌｏｃａｔｉｏｎ  Ｕｐｄａｔｅ  Ｒｅｓｐｏｎｓｅ，
Ｐａｇｉｎｇ  Ｉｎｆｏｒｍａｔｉｏｎ，
Ｐａｇｉｎｇ  Ｃｏｎｔｒｏｌｌｅｒ  ＩＤ，
Ｎｅｘｔ  Ｐｅｒｉｏｄｉｃ  Ｒａｎｇｉｎｇ
）
【００３７】
【表３】
2008533804.tif 000005
（３）生成時点
Ｍ＿Ｒａｎｇｉｎｇ．ｉｎｄｉｃａｔｉｏｎを受信した後、その結果を通知することに決定した時点に生成される。
【００３８】
（４）受信時の効果
ＭＡＣ層がＭＡＣ管理メッセージ及び前記プリミティブにより受信したパラメータを含むＲＮＧ−ＲＳＰを送信する。
【００３９】
４．Ｍ＿Ｒａｎｇｉｎｇ．ｃｏｎｆｉｒｍａｔｉｏｎ
（１）機能
前記プリミティブは、測距応答メッセージに含まれる結果を上位管理エンティティに通知する。
【００４０】
（２）セマンティクス
Ｍ＿Ｒａｎｇｉｎｇ．ｃｏｎｆｉｒｍａｔｉｏｎ（
Ｓｏｕｒｃｅ，
Ｄｅｓｔｉｎａｔｉｏｎ，
ＭＳ  Ａｄｄｒｅｓｓ，
Ｒｅｓｕｌｔ  Ｃｏｄｅ，
Ｍａｎａｇｅｍｅｎｔ  ＣＩＤｓ，
Ｒｅｓｏｕｒｃｅ  Ｒｅｔａｉｎ  Ｆｌａｇ，
ＨＯ  Ｐｒｏｃｅｓｓ  Ｏｐｔｉｍｉｚａｔｉｏｎ，
Ｌｏｃａｔｉｏｎ  Ｕｐｄａｔｅ  Ｒｅｓｐｏｎｓｅ，
Ｐａｇｉｎｇ  Ｉｎｆｏｒｍａｔｉｏｎ，
Ｐａｇｉｎｇ  Ｃｏｎｔｒｏｌｌｅｒ  ＩＤ
Ｎｅｘｔ  Ｐｅｒｉｏｄｉｃ  Ｒａｎｇｉｎｇ
）
【００４１】
【表４】
2008533804.tif 000006
（３）生成時点
ＭＡＣ層が無線インタフェースを介してＲＮＧ−ＲＳＰを受信するときに生成される。
【００４２】
（４）受信時の効果
管理エンティティが測距実行の結果に関するリポートを受信する。
【００４３】
５．Ｍ＿Ｒｅｇｉｓｔｒａｔｉｏｎ．ｒｅｑｕｅｓｔ
（１）機能
前記プリミティブは登録を要求する機能を果たす。管理エンティティは前記プリミティブを利用して登録を要求する。
【００４４】
（２）セマンティクス
Ｍ＿Ｒｅｇｉｓｔｒａｔｉｏｎ．ｒｅｑｕｅｓｔ（
Ｓｏｕｒｃｅ，
Ｄｅｓｔｉｎａｔｉｏｎ，
ＩＰ  Ｍａｎａｇｅｍｅｎｔ  Ｍｏｄｅ
ＩＰ  Ｖｅｒｓｉｏｎ，
Ｍｅｔｈｏｄ  ｏｆ  Ａｌｌｏｃａｔｉｎｇ  ＩＰ  Ａｄｄｒｅｓｓ，
Ｐｒｅｖｉｏｕｓ  ＩＰ  Ａｄｄｒｅｓｓ
）
【００４５】
【表５】
2008533804.tif 000007
（３）生成時点
ネットワークアクセス手順中に登録のための全ての処理手順が完了した場合、管理エンティティが登録を行うように指示するときに生成される。
【００４６】
（４）受信時の効果
前記コマンドを受信すると、必要な該当ＴＬＶが追加され、ＲＥＧ−ＲＥＱ  ＭＡＣ管理メッセージが無線インタフェースを介して送信される。
【００４７】
６．Ｍ＿Ｒｅｇｉｓｔｒａｔｉｏｎ．ｉｎｄｉｃａｔｉｏｎ
（１）機能
前記プリミティブは、ＭＡＣ管理メッセージにより上位管理エンティティに行われた登録要求を受信したことを通知する。
【００４８】
（２）セマンティクス
Ｍ＿Ｒｅｇｉｓｔｒａｔｉｏｎ．ｉｎｄｉｃａｔｉｏｎ（
Ｓｏｕｒｃｅ，
Ｄｅｓｔｉｎａｔｉｏｎ，
ＩＰ  Ｍａｎａｇｅｍｅｎｔ  Ｍｏｄｅ
ＩＰ  Ｖｅｒｓｉｏｎ，
Ｍｅｔｈｏｄ  ｏｆ  Ａｌｌｏｃａｔｉｎｇ  ＩＰ  Ａｄｄｒｅｓｓ，
Ｐｒｅｖｉｏｕｓ  ＩＰ  Ａｄｄｒｅｓｓ
）
【００４９】
【表６】
2008533804.tif 000008
（３）生成時点
ＭＡＣ層が無線インタフェースを介してＲＥＧ−ＲＥＱを受信するときに生成される。
【００５０】
（４）受信時の効果
受信した登録のパラメータが分析され、前記登録に対する応答としてＭ＿Ｒｅｇｉｓｔｒａｔｉｏｎ．ｒｅｓｐｏｎｓｅが生成される。
【００５１】
７．Ｍ＿Ｒｅｇｉｓｔｒａｔｉｏｎ．ｒｅｓｐｏｎｓｅ
（１）機能
前記プリミティブは登録要求の結果を通知する機能を果たす。
【００５２】
（２）セマンティクス
Ｍ＿Ｒｅｇｉｓｔｒａｔｉｏｎ．ｒｅｓｐｏｎｓｅ（
Ｓｏｕｒｃｅ，
Ｄｅｓｔｉｎａｔｉｏｎ，
ＩＰ  Ｍａｎａｇｅｍｅｎｔ  Ｍｏｄｅ
ＩＰ  Ｖｅｒｓｉｏｎ，
Ｍｅｔｈｏｄ  ｏｆ  Ａｌｌｏｃａｔｉｎｇ  ＩＰ  Ａｄｄｒｅｓｓ，
Ｓｋｉｐ  Ａｄｄｒｅｓｓ  Ａｃｑｕｉｓｉｔｉｏｎ
）
【００５３】
【表７】
2008533804.tif 000009
（３）生成時点
Ｍ＿Ｒｅｇｉｓｔｒａｔｉｏｎ．ｉｎｄｉｃａｔｉｏｎを受信した後、その結果を通知することに決定した時点に生成される。
【００５４】
（４）受信時の効果
ＭＡＣ層がＭＡＣ管理メッセージ及び前記プリミティブにより受信したパラメータを含むＲＥＧ−ＲＳＰを送信する。
【００５５】
８．Ｍ＿Ｒａｎｇｉｎｇ．ｃｏｎｆｉｒｍａｔｉｏｎ
（１）機能
前記プリミティブは、上位管理エンティティに送られた登録の応答メッセージに含まれる結果を通知する。
【００５６】
（２）セマンティクス
Ｍ＿Ｒｅｇｉｓｔｒａｔｉｏｎ．ｃｏｎｆｉｒｍａｔｉｏｎ（
Ｓｏｕｒｃｅ，
Ｄｅｓｔｉｎａｔｉｏｎ，
ＩＰ  ｍａｎａｇｅｍｅｎｔ  Ｍｏｄｅ
ＩＰ  Ｖｅｒｓｉｏｎ，
Ｍｅｔｈｏｄ  ｏｆ  Ａｌｌｏｃａｔｉｎｇ  ＩＰ  Ａｄｄｒｅｓｓ，
Ｓｋｉｐ  Ａｄｄｒｅｓｓ  Ａｃｑｕｉｓｉｔｉｏｎ
）
【００５７】
【表８】
2008533804.tif 000010
（３）生成時点
ＭＡＣ層が無線インタフェースを介してＲＥＧ−ＲＳＰを受信するときに生成される。
【００５８】
（４）受信時の効果
上位管理エンティティが登録実行の結果に関するリポートを受信する。
【００５９】
９．Ｍ＿Ｂａｓｉｃ＿Ｃａｐａｂｉｌｉｔｙ＿Ｎｅｇｏ．ｒｅｑｕｅｓｔ
（１）機能
移動局の基本能力を基地局とネゴシエートするための手順を開始するように上位管理エンティティがＭＡＣ層に要求する機能。
【００６０】
（２）セマンティクス
Ｍ＿Ｂａｓｉｃ＿Ｃａｐａｂｉｌｉｔｙ＿Ｎｅｇｏ．ｒｅｑｕｅｓｔ（
Ｓｏｕｒｃｅ，
Ｄｅｓｔｉｎａｔｉｏｎ，
Ａｕｔｈｏｒｉｚａｔｉｏｎ  Ｐｏｌｉｃｙ  Ｓｕｐｐｏｒｔ
）
【００６１】
【表９】
2008533804.tif 000011
（３）生成時点
ネットワークアクセス手順中に端末の基本能力を基地局とネゴシエートするための前処理手順が終了した時点に生成される。
【００６２】
（４）受信時の効果
前記コマンドを受信すると、ネゴシエーションに必要な該当ＴＬＶが挿入され、ＳＢＣ＿ＲＥＱ  ＭＡＣ管理メッセージが無線インタフェースで送信される。
【００６３】
１０．Ｍ＿Ｂａｓｉｃ＿Ｃａｐａｂｉｌｉｔｙ＿Ｎｅｇｏ．ｉｎｄｉｃａｔｉｏｎ
（１）機能
前記プリミティブは、ＭＡＣ管理メッセージにより移動局の基本能力ネゴシエーション要求を受信したことを上位管理エンティティに通知する。
【００６４】
（２）セマンティクス
Ｍ＿Ｂａｓｉｃ＿Ｃａｐａｂｉｌｉｔｙ＿Ｎｅｇｏ．ｉｎｄｉｃａｔｉｏｎ（
Ｓｏｕｒｃｅ，
Ｄｅｓｔｉｎａｔｉｏｎ，
ＳＢＣ−ＲＥＱにあるＰａｒａｍｅｔｅｒｓ
）
【００６５】
【表１０】
2008533804.tif 000012
（３）生成時点
ＭＡＣ層が無線インタフェースを介してＳＢＣ＿ＲＥＱを受信するときに生成される。
【００６６】
（４）受信時の効果
前記受信したパラメータが分析され、これに対する応答として、利用可能なパラメータを含むＭ＿Ｂａｓｉｃ＿Ｃａｐａｂｉｌｉｔｙ＿Ｎｅｇｏ．ｒｅｓｐｏｎｓｅが生成される。
【００６７】
１１．Ｍ＿Ｂａｓｉｃ＿Ｃａｐａｂｉｌｉｔｙ＿Ｎｅｇｏ．ｒｅｓｐｏｎｓｅ
（１）機能
上位管理エンティティが受信した基本能力のうち、サポートできる能力を通知する機能、すなわちネゴシエーション結果を通知する機能。
【００６８】
（２）セマンティクス
Ｍ＿Ｂａｓｉｃ＿Ｃａｐａｂｉｌｉｔｙ＿Ｎｅｇｏ．ｒｅｓｐｏｎｓｅ（
Ｓｏｕｒｃｅ，
Ｄｅｓｔｉｎａｔｉｏｎ，
Ｍ＿Ｂａｓｉｃ＿Ｃａｐａｂｉｌｉｔｙ＿Ｎｅｇｏ．ｉｎｄｉｃａｔｉｏｎにあるＰａｒａｍｅｔｅｒｓのうちサポートできるもの
）
【００６９】
【表１１】
2008533804.tif 000013
（３）生成時点
受信したＭ＿Ｂａｓｉｃ＿Ｃａｐａｂｉｌｉｔｙ＿Ｎｅｇｏ．ｉｎｄｉｃａｔｉｏｎに含まれる基本能力のうち、基地局がサポートできるものを判断してその結果を通知することのできる時点に生成される。
【００７０】
（４）受信時の効果
ＭＡＣ層は前記プリミティブにより受信したパラメータをＴＬＶフォーマットで含むＳＢＣ＿ＲＳＰ（ＭＡＣメッセージ）を送信する。
【００７１】
１２．Ｍ＿Ｂａｓｉｃ＿Ｃａｐａｂｉｌｉｔｙ＿Ｎｅｇｏ．ｃｏｎｆｉｒｍａｔｉｏｎ
（１）機能
前記プリミティブは、ＳＢＣ＿ＲＳＰから通知された基本能力のネゴシエーション結果を上位管理エンティティに通知する機能を果たす。
【００７２】
（２）セマンティクス
Ｍ＿Ｂａｓｉｃ＿Ｃａｐａｂｉｌｉｔｙ＿Ｎｅｇｏ．ｃｏｎｆｉｒｍａｔｉｏｎ（
Ｓｏｕｒｃｅ，
Ｄｅｓｔｉｎａｔｉｏｎ，
ＳＢＣ−ＲＳＰに含まれるＰａｒａｍｅｔｅｒｓ
）
【００７３】
【表１２】
2008533804.tif 000014
（３）生成時点
ＭＡＣ層が無線インタフェースを介してＳＢＣ＿ＲＳＰを受信するときに生成される。
【００７４】
（４）受信時の効果
上位管理エンティティに基本能力ネゴシエーション結果が通知される。
【００７５】
１３．Ｍ＿Ａｕｔｈｅｎｔｉｃａｔｅ．ｒｅｑｕｅｓｔ
（１）機能
移動局にネットワークアクセスのために認証手順を開始させる機能。
【００７６】
（２）セマンティクス
Ｍ＿Ａｕｔｈｅｎｔｉｃａｔｅ．ｒｅｑｕｅｓｔ（
Ｓｏｕｒｃｅ，
Ｄｅｓｔｉｎａｔｉｏｎ，
ＰＫＭ  ｖｅｒｓｉｏｎ，
Ａｕｔｈｅｎｔｉｃａｔｅ  Ｐｒｏｔｏｃｏｌ
）
【００７７】
【表１３】
2008533804.tif 000015
（３）生成時点
基本的な無線設定手順及び管理のためのＣＩＤを受信した後、メッセージを送受信できるように基地局の認証が受信されるときに生成される。
【００７８】
（４）受信時の効果
認証に必要な該当ＴＬＶを含んで無線インタフェースでＰＫＭ＿ＲＥＱ  ＭＡＣ管理メッセージが送信される。
【００７９】
１４．Ｍ＿Ａｕｔｈｅｎｔｉｃａｔｅ．ｉｎｄｉｃａｔｉｏｎ
（１）機能
前記プリミティブは、ＭＡＣ管理メッセージにより移動局認証要求を受信したことを上位管理エンティティに通知する。このメッセージの終端点は、上位管理エンティティ又はこのようなエンティティを介した認証サーバになり得る。
【００８０】
（２）セマンティクス
Ｍ＿Ａｕｔｈｅｎｔｉｃａｔｅ．ｉｎｄｉｃａｔｉｏｎ（
Ｓｏｕｒｃｅ，
Ｄｅｓｔｉｎａｔｉｏｎ，
Ｃｏｄｅ
ＰＫＭ  Ｉｄｅｎｔｉｆｉｅｒ
ＭＳ  ｃｅｒｔｉｆｉｃａｔｅ
Ｓｅｃｕｒｉｔｙ  Ｃａｐａｂｉｌｉｔｙ
ＳＡＩＤ
）
【００８１】
【表１４】
2008533804.tif 000016
（３）生成時点
ＭＡＣ層が無線インタフェースを介してＰＫＭ＿ＲＥＱを受信するとき。
【００８２】
（４）受信時の効果
受信したプリミティブのパラメータ値を分析して必要な手順を行った後、Ｍ＿Ａｕｔｈｅｎｔｉｃａｔｅ．ｒｅｓｐｏｎｓｅを生成する。
【００８３】
１５．Ｍ＿Ａｕｔｈｅｎｔｉｃａｔｅ．ｒｅｓｐｏｎｓｅ
（１）機能
認証要求に対する基地局処理結果を通知するために、上位管理エンティティは前記処理結果をＭＡＣ層に報告し、前記プリミティブはその結果を移動局に送信できるようにする。
【００８４】
（２）セマンティクス
Ｍ＿Ａｕｔｈｅｎｔｉｃａｔｅ．ｒｅｓｐｏｎｓｅ（
Ｓｏｕｒｃｅ，
Ｄｅｓｔｉｎａｔｉｏｎ，
Ｃｏｄｅ
ＰＫＭ  Ｉｄｅｎｔｉｆｉｅｒ
ＡＵＴＨ−Ｋｅｙ
Ｋｅｙ−Ｌｉｆｅｔｉｍｅ
Ｋｅｙ−Ｓｅｑｕｅｎｃｅ−Ｎｕｍｂｅｒ
ＳＡ−Ｄｅｓｃｒｉｐｔｏｒｓ
）
【００８５】
【表１５】
2008533804.tif 000017
（３）生成時点
Ｍ＿Ａｕｔｈｅｎｔｉｃａｔｉｏｎ．ｉｎｄｉｃａｔｉｏｎを受信してその処理が完了した後、認証に関する情報が移動局に与えられるときに生成される。
【００８６】
（４）受信時の効果
ＭＡＣ層がＭＡＣ管理メッセージ及び前記プリミティブにより受信したパラメータを含むＰＫＭ＿ＲＳＰを送信する。
【００８７】
１６．Ｍ＿Ａｕｔｈｅｎｔｉｃａｔｅ．ｃｏｎｆｉｒｍａｔｉｏｎ
（１）機能
前記プリミティブは、認証結果とパラメータを上位管理エンティティに通知する機能を果たす。
【００８８】
（２）セマンティクス
Ｍ＿Ａｕｔｈｅｎｔｉｃａｔｅ．ｃｏｎｆｉｒｍａｔｉｏｎ（
Ｓｏｕｒｃｅ，
Ｄｅｓｔｉｎａｔｉｏｎ，
Ｃｏｄｅ
ＰＫＭ  Ｉｄｅｎｔｉｆｉｅｒ
ＡＵＴＨ−Ｋｅｙ
Ｋｅｙ−Ｌｉｆｅｔｉｍｅ
Ｋｅｙ−Ｓｅｑｕｅｎｃｅ−Ｎｕｍｂｅｒ
ＳＡ−Ｄｅｓｃｒｉｐｔｏｒｓ
）
【００８９】
【表１６】
2008533804.tif 000018
（３）生成時点
ＭＡＣ層が無線インタフェースを介してＰＫＭ＿ＲＳＰを受信するときに生成される。
【００９０】
（４）受信時の効果
上位管理エンティティが報告された認証結果を受信し、今後の認証に関する動作のためにパラメータを更新する。通信のためのキーをさらに受信することができる。
【００９１】
図１４はネットワークアクセスのための測距過程の一実施形態を示すフローチャートである。図１４を参照すると、移動局が測距を行えるように、上位管理エンティティがＮＣＭＳを介してＭＡＣ層にプリミティブを送信する（Ｓ１４０１）。ここで、上位管理エンティティは、行われる測距の種類をプリミティブにある測距タイプで通知することにより、移動局が含まなければならないＴＬＶ値などの様々な要素を決定できるようにする。
【００９２】
本実施形態において、測距とは、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅｘ  Ａｃｃｅｓｓ；ＯＦＤＭＡ）におけるネットワークアクセスのための初期測距を意味し、ＣＤＭＡコードをアップリンクの測距区間に競争方式で送信する（Ｓ１４０２）。
【００９３】
測距ＣＤＭＡコードを受信すると、基地局のＭＡＣ層は、無線信号情報などを含んでこれをＭ＿Ｒａｎｇｉｎｇ．ｉｎｄｉｃａｔｉｏｎにより上位管理エンティティに通知する（Ｓ１４０３）。前記受信した測距要求に対する適切な応答を送信するために、上位管理エンティティは、Ｍ＿Ｒａｎｇｉｎｇ．ｒｅｓｐｏｎｓｅに必要なパラメータ又は進行状態を含めてＭＡＣに送信する（Ｓ１４０４）。
【００９４】
Ｍ＿Ｒａｎｇｉｎｇ．ｒｅｓｐｏｎｓｅにより受信した前記パラメータ又は測距進行状態は、測距応答に含まれて送信される（Ｓ１４０５）。前記送信されたＲＮＧ＿ＲＳＰにあるパラメータ又は進行状態は、Ｍ＿Ｒａｎｇｉｎｇ．ｃｏｎｆｉｒｍａｔｉｏｎにより上位管理エンティティに通知される（Ｓ１４０６）。追加測距手順が必要な場合、上位管理エンティティは、移動局が測距手順を継続して行えるように、Ｍ＿Ｒａｎｇｉｎｇ．ｒｅｑｕｅｓｔを移動局のＭＡＣに送信する（Ｓ１４０７）。
【００９５】
本実施形態は無線パラメータの設定などの追加動作が必要な例として、測距ＣＤＭＡコードが再び送信される（Ｓ１４０８）。無線信号情報などが移動局に受信された測距コードに含まれて上位管理エンティティに通知される（Ｓ１４０９）。進行中の全ての測距の結果は基地局のＭＡＣに通知される（Ｓ１４１０）。この結果はＲＮＧ＿ＲＳＰに含まれて移動局に送信される（Ｓ１４１１）。前記送信された結果は移動局の上位管理エンティティに通知される（Ｓ１４１２）。
【００９６】
測距の残りの手順を行うために、上位管理エンティティは他の測距要求を行う（Ｓ１４１３）。ここでは、前記移動局が無線信号などのチューニングを完了した状態であり、ネットワークアクセスに必要なパラメータの受信のために移動局のＭＡＣアドレスが含まれて送信される。
【００９７】
移動局のＭＡＣアドレスを含めて測距要求を行い（Ｓ１４１４）、前記受信した測距要求にある移動局アドレスを含むパラメータが上位管理エンティティに伝達される（Ｓ１４１５）。移動局がネットワークアクセスのための測距手順を完了できるように管理接続ＩＤが含まれた後、Ｍ＿Ｒａｎｇｉｎｇ．ｒｅｓｐｏｎｓｅがＭＡＣ層に伝達される（Ｓ１４１６）。前記受信したプリミティブに含まれるパラメータは、ＲＮＧ−ＲＳＰに含まれて無線インタフェースを介して移動局に伝達される（Ｓ１４１７）。ＭＡＣに送信された情報は上位管理エンティティに伝達される（Ｓ１４１８）。
【００９８】
図１５は登録過程の一実施形態を示すフローチャートである。図１５に示すように、移動局が登録を行えるように、上位管理エンティティがＭＡＣ層にプリミティブを送信する（Ｓ１５０１）。ここで、上位管理エンティティは、パラメータを設定して伝達することにより、移動局が含まなければならないＴＬＶ値などを決定できるようにする。
【００９９】
上位管理エンティティから送信された値を含み、登録に必要な他のパラメータを含んで、ＲＥＧ−ＲＥＱが基地局に送信される（Ｓ１５０２）。前記基地局のＭＡＣ層は、ＲＥＧ−ＲＥＱを受信し、これに含まれるパラメータに関してＭ＿Ｒａｎｇｉｎｇ．ｉｎｄｉｃａｔｉｏｎにより上位管理エンティティに通知する（Ｓ１５０３）。
【０１００】
登録を完了するためにネゴシエートされた又はサポートできるパラメータは、Ｍ＿Ｒｅｇｉｓｔｒａｔｉｏｎ．ｒｅｓｐｏｎｓｅに含まれて基地局のＭＡＣ層に伝達される（Ｓ１５０４）。上位管理エンティティから伝達されて受信されたパラメータは、ＲＥＧ−ＲＳＰに含まれて無線インタフェースで送信される（Ｓ１５０５）。無線インタフェースで受信されたＲＥＧ−ＲＳＰの値は、Ｍ＿Ｒｅｇｉｓｔｒａｔｉｏｎ．ｃｏｎｆｉｒｍａｔｉｏｎにより上位管理エンティティに伝達される（Ｓ１５０６）。
【０１０１】
図１６は基本機能ネゴシエーション過程の一実施形態を示すフローチャートである。図１６に示すように、移動局が基本機能ネゴシエーションを行えるように、上位管理エンティティがＭＡＣ層にプリミティブを送信する（Ｓ１６０１）。ここで、上位管理エンティティは、パラメータを設定して伝達することにより、移動局が含まなければならないＴＬＶ値などを決定できるようにする。
【０１０２】
上位管理エンティティから送信された値及び登録に必要な他のパラメータがＳＢＣ−ＲＥＱに含まれて基地局に送信される（Ｓ１６０２）。前記ＳＢＣ−ＲＥＱを受信した基地局のＭＡＣ層は、これに含まれるパラメータをＭ＿Ｂａｓｉｃ＿Ｃａｐａｂｉｌｉｔｙ＿Ｎｅｇｏ．ｉｎｄｉｃａｔｉｏｎにより上位管理エンティティに通知する（Ｓ１６０３）。登録を完了するためにネゴシエートされた又はサポートできるパラメータがＭ＿Ｂａｓｉｃ＿Ｃａｐａｂｉｌｉｔｙ＿Ｎｅｇｏ．ｒｅｓｐｏｎｓｅに含まれて基地局のＭＡＣ層に伝達される（Ｓ１６０４）。
【０１０３】
上位管理エンティティから伝達されて受信されたパラメータは、ＳＢＣ−ＲＳＰに含まれて無線インタフェースで送信される（Ｓ１６０５）。無線インタフェースで受信されたＳＢＣ−ＲＳＰの値は、Ｍ＿Ｂａｓｉｃ＿Ｃａｐａｂｉｌｉｔｙ＿Ｎｅｇｏ．ｃｏｎｆｉｒｍａｔｉｏｎにより上位管理エンティティに伝達される（Ｓ１６０７）。
【０１０４】
図１７は認証及び許可過程の一実施形態を示すフローチャートである。図１７に示すように、移動局が認証を受信できるように、上位管理エンティティがＭＡＣ層にプリミティブを送信する（Ｓ１７０１）。ここで、上位管理エンティティから送信された値及び登録に必要な他のパラメータを含んで、ＰＫＭ−ＲＥＱが基地局に送信される（Ｓ１７０２）。
【０１０５】
前記ＰＫＭ−ＲＥＱを受信した基地局のＭＡＣ層は、これに含まれるパラメータをＭ＿Ａｕｔｈｅｎｔｉｃａｔｅ．ｉｎｄｉｃａｔｉｏｎにより上位管理エンティティに通知する（Ｓ１７０３）。
【０１０６】
認証手順を完了するために、上位管理エンティティ又はネットワーク認証エンティティにより処理された結果は、Ｍ＿Ａｕｔｈｅｎｔｉｃａｔｅ．ｒｅｓｐｏｎｓｅに含まれて基地局のＭＡＣ層に伝達される（Ｓ１７０４）。上位管理エンティティから伝達されて受信されたパラメータは、ＰＫＭ−ＲＳＰに含まれて無線インタフェースで送信される（Ｓ１７０５）。無線インタフェースで受信されたＰＫＭ−ＲＳＰの値は、Ｍ＿Ａｕｔｈｅｎｔｉｃａｔｅ．ｃｏｎｆｉｒｍａｔｉｏｎにより上位管理エンティティに伝達される（Ｓ１７０６）。
【０１０７】
前記様々な特徴を実現するために、本発明は、様々なタイプのハードウェア及び／又はソフトウェア構成要素（モジュール）を用いる。例えば、様々なハードウェアモジュールは、広帯域無線アクセスシステムで前記スキャニング実行方法の段階を行うために必要な様々な回路及び構成要素を含む。また、（プロセッサ及び／又は他のハードウェアにより実行される）様々なソフトウェアモジュールは、本発明の方法の段階を行うために必要な様々なコード及びプロトコルを含む。
【０１０８】
測距において（ＭＳ  ＭＡＣの観点）、本発明は、移動局（ＭＳ）のＮＣＭＳから測距要求を示す第１プリミティブを受信する段階と、測距情報を含む測距要求を基地局のＭＡＣ層に送信する段階と、前記基地局のＭＡＣ層から測距応答を受信する段階とを含むことを特徴とする広帯域無線アクセスシステムのための測距方法を提供する。前記方法は、前記行われた測距の結果を示す第２プリミティブを前記ＭＳ  ＮＣＭＳに送る段階をさらに含むことができる。前記測距情報は初期測距を含む。前記測距情報は、ハンドオーバー（ＨＯ）測距、位置更新測距、及び周期的な測距の少なくとも１つをさらに含む。前記測距要求はネットワークエントリを示す。前記ネットワークエントリは８０２．１６ネットワークへのエントリである。前記各段階は測距に成功するまで繰り返される。前記測距要求はコード又はＭＡＣアドレスを含む。
【０１０９】
測距において（ＢＳ  ＭＡＣの観点）、本発明は、移動局（ＭＳ）のＭＡＣ層から測距情報を含む測距要求メッセージを受信する段階と、測距要求が受信されたことを示す第１プリミティブを基地局（ＢＳ）のＮＣＭＳに送る段階とを含むことを特徴とする広帯域無線アクセスシステムのための測距方法を提供する。前記測距情報は、ＣＤＭＡコード、ＭＳ  ＭＡＣアドレス、ＭＡＣバージョン、要求されたダウンリンクバーストプロファイル、サービングＢＳ  ＩＤ、ターゲットＢＳ  ＩＤ、ハンドオーバー（ＨＯ）指示、位置更新要求、及びページング制御装置ＩＤの少なくとも１つを含む。前記方法は、測距が行われたことを示す第２プリミティブを前記ＢＳ  ＮＣＭＳから受信する段階と、測距応答を前記ＭＳ  ＭＡＣに送信する段階とをさらに含む。前記測距応答は、結果コード、管理ＣＩＤ、リソース維持フラグ（ｒｅｓｏｕｒｃｅ  ｒｅｔａｉｎ  ｆｌａｇ）、ハンドオーバー過程最適化、位置更新応答、ページング情報、ページング制御装置ＩＤ、次の週期的な測距の少なくとも１つを含む前記第２プリミティブの情報を含む。
【０１１０】
登録において（ＭＳの観点）、本発明は、基地局（ＢＳ）から登録応答を受信する段階と、登録確認を示す第２プリミティブをＮＣＭＳに送る段階とを含むことを特徴とする広帯域無線アクセスシステムのための登録方法を提供する。前記第２プリミティブは、ＩＰアドレス割当方法、ＩＰバージョン、及びスキップアドレス取得の少なくとも１つを含む。前記ＩＰアドレス割当方法は、ＤＨＣＰ、モバイルＩＰｖ４、ＤＨＣＰｖ６、ＩＰｖ６ステートレスアドレス自動設定を含む。前記スキップアドレス取得は、ＩＰアドレス変更なし及びＩＰアドレス再取得の少なくとも一方を含む。前記受信する段階は、ネットワークエントリが完了したことを示す。前記方法は、登録を要求するためにＭＳ  ＮＣＭＳから第１プリミティブを受信する段階と、登録要求メッセージをＢＳ  ＭＡＣに送る段階とをさらに含む。前記第１プリミティブは、ＩＰバージョン、ＩＰアドレス割当方法、及び以前のＩＰアドレスの少なくとも１つを含む。前記ＩＰアドレス割当方法は、ＤＨＣＰ、モバイルＩＰｖ４、ＤＨＣＰｖ６、ＩＰｖ６ステートレスアドレス自動設定を含む。
【０１１１】
登録において（ＢＳ  ＭＡＣの観点）、本発明は、移動局（ＭＳ）のＭＡＣ層から登録要求メッセージを受信する段階と、登録指示を示す第１プリミティブを基地局（ＢＳ）のＮＣＭＳに送る段階と、登録応答を示す第２プリミティブを前記ＢＳ  ＮＣＭＳから受信する段階と、登録応答メッセージを前記ＭＳ  ＭＡＣに送る段階とを含むことを特徴とする広帯域無線アクセスシステムのための登録方法を提供する。前記第１プリミティブは、ＩＰバージョン、ＩＰアドレス割当方法、及び以前のＩＰアドレスの少なくとも１つを含む。前記ＩＰアドレス割当方法は、ＤＨＣＰ、モバイルＩＰｖ４、ＤＨＣＰｖ６、ＩＰｖ６ステートレスアドレス自動設定を含む。前記第２プリミティブは、ＩＰアドレス割当方法、ＩＰバージョン、及びスキップアドレス取得の少なくとも１つを含む。前記ＩＰアドレス割当方法は、ＤＨＣＰ、モバイルＩＰｖ４、ＤＨＣＰｖ６、ＩＰｖ６ステートレスアドレス自動設定を含む。前記スキップアドレス取得は、ＩＰアドレス変更なし及びＩＰアドレス再取得の少なくとも一方を含む。
【０１１２】
登録において（ＭＳのＭＩＨの観点）、本発明は、リンクセットアップ手順が完了したという指示を受信するために行われた登録の結果を示す第２プリミティブをＮＣＭＳから受信する段階を含み、前記第２プリミティブは、管理サービスアクセスポイント（Ｍ−ＳＡＰ）及び制御サービスアクセスポイント（Ｃ−ＳＡＰ）の少なくとも一方を介して送受信されることを特徴とする広帯域無線アクセスシステムのための登録方法を提供する。前記第２プリミティブは、ＩＰアドレス割当方法、ＩＰバージョン、及びスキップアドレス取得の少なくとも１つを含む。前記ＩＰアドレス割当方法は、ＤＨＣＰ、モバイルＩＰｖ４、ＤＨＣＰｖ６、ＩＰｖ６ステートレスアドレス自動設定を含む。前記スキップアドレス取得は、ＩＰアドレス変更なし及びＩＰアドレス再取得の少なくとも一方を含む。前記方法は、前記受信する段階の前に、登録要求を示す第１プリミティブをＮＣＭＳに送る段階をさらに含み、前記第１プリミティブは、Ｍ−ＳＡＰ及びＣ−ＳＡＰの少なくとも一方を介して送受信される。前記方法は、同種ネットワーク及び異種ネットワークの少なくとも一方とやり取りするメッセージを管理するための移動局の上位層に統一されたインタフェースを設定する段階をさらに含む。
【０１１３】
本明細書は本発明の様々な実施形態を記述している。特許請求の範囲は本明細書に開示されている実施形態の多様な変更及び同等の構成をも含むものである。従って、特許請求の範囲はここに開示されている発明の精神及び範囲内で変更、同等の構造、及び特徴を含むように広範囲に解釈されるべきである。
【図面の簡単な説明】
【０１１４】
本発明の理解を助けるために添付され、本明細書の一部を構成する図面は、本発明の多様な実施形態を示し、明細書と共に本発明の原理を説明する。
【図１】プロトコルスタック構造の一例を示す図である。
【図２】広帯域無線アクセスシステムにおける移動局の初期化時のネットワークアクセス過程の一例を示すフローチャートである。
【図３】移動局がダウンリンク同期を取る過程の一実施例を示すフローチャートである。
【図４】移動局がアップリンク同期を取る過程の一実施例を示すフローチャートである。
【図５】移動局が測距を行う過程の一実施例を示すフローチャートである。
【図６】移動局が測距を行う過程の一実施例を示すフローチャートである。
【図７】移動局により実行された基本機能を基地局とネゴシエートする過程の一実施例を示すフローチャートである。
【図８】移動局のＳＢＣ−ＲＳＣ待機過程の一実施例を示すフローチャートである。
【図９】移動局の登録過程の一実施例を示すフローチャートである。
【図１０】移動局のＲＥＧ−ＲＳＰ待機過程の一実施例を示すフローチャートである。
【図１１】メディア独立ハンドオーバー（ＭＩＨ）を考慮したプロトコル構造の実施形態を示す図である。
【図１２】遠隔エンティティとの相互作用が必要な場合の動作を示す図である。
【図１３】ローカルエンティティ内でのみ伝達されるプリミティブの実施形態を示す図である。
【図１４】ネットワークアクセスのための測距過程の一実施形態を示すフローチャートである。
【図１５】登録過程の一実施形態を示すフローチャートである。
【図１６】基本機能ネゴシエーション過程の一実施形態を示すフローチャートである。
【図１７】認証及び許可過程の一実施形態を示すフローチャートである。
【図１】
2008533804.tif 000019
【図２】
2008533804.tif 000020
【図３】
2008533804.tif 000021
【図４】
2008533804.tif 000022
【図５】
2008533804.tif 000023
【図６】
2008533804.tif 000024
【図７】
2008533804.tif 000025
【図８】
2008533804.tif 000026
【図９】
2008533804.tif 000027
【図１０】
2008533804.tif 000028
【図１１】
2008533804.tif 000029
【図１２】
2008533804.tif 000030
【図１３】
2008533804.tif 000031
【図１４】
2008533804.tif 000032
【図１５】
2008533804.tif 000033
【図１６】
2008533804.tif 000034
【図１７】
2008533804.tif 000035
【国際調査報告】
2008533804.tif 000036
2008533804.tif 000037